(57)【要約】      （修正有）【課題】流し台等の配水部のヌメリ汚れが迅速に、かつ、継続して除去できるようにする。【解決手段】排水部上に設置されて使用される排水部の汚れ除去装置１であり、第１の洗浄剤と第２の洗浄剤とを装着可能で、装置が排水部に配置されることで、第１の洗浄剤による第１の洗浄と、第１の洗浄以降において第２の洗浄剤による一定期間継続する第２の洗浄とを可能とする汚れ除去装置。【選択図】図１
2017089317.tif 000002
【特許請求の範囲】
【請求項１】
排水部上に設置されて使用される排水部の汚れ除去装置であり、第１の洗浄剤と第２の洗浄剤とを装着可能で、当該装置が前記排水部に配置されることで、前記第１の洗浄剤による第１の洗浄と、前記第１の洗浄以降において前記第２の洗浄剤による一定期間継続する第２の洗浄とを可能とすることを特徴とする排水部の汚れ除去装置。
【発明の詳細な説明】
【技術分野】
【０００１】
この発明は、流し台等の配水部の汚れ除去装置に関する。
【背景技術】
【０００２】
流し台の底部には内部に通水性のゴミかごが設置される排水凹所が設けられており、使用に伴ってその排水凹所やゴミかご面にヌメリ汚れが付着する。
【発明の概要】
【発明が解決しようとする課題】
【０００３】
上記のヌメリ汚れを除去するため、排水凹所内をゴミかごとともに顆粒洗浄剤によって洗浄したり、また、ゴミかごに固形の洗浄剤を配置して流し台使用時の流水によって溶かし流し込むことで洗浄したりしている。上記前者の場合は、洗浄時に一時的にヌメリ汚れは取れるがその後の使用に伴ってヌメリ汚れが発生するので、頻繁に洗浄を行わなければならない。これに対し後者の場合は、流し台使用に伴い継続してヌメリ汚れが除去されるが、使用の開始時にはヌメリ汚れが十分に除去されず見苦しい等の問題があった。
【０００４】
この発明は上記の事情に鑑みて行ったもので、ヌメリ汚れが迅速に、かつ、継続して除去できるようにすることを目的とする。
【課題を解決するための手段】
【０００５】
この発明では、排水部上に設置されて使用される排水部の汚れ除去装置であり、第１の洗浄剤と第２の洗浄剤とを装着可能で、当該装置が前記排水部に配置されることで、前記第１の洗浄剤による第１の洗浄と、前記第１の洗浄以降において前記第２の洗浄剤による一定期間継続する第２の洗浄とを可能とすることを特徴とする排水部の汚れ除去装置を提供する。
【０００６】
上記構成の汚れ除去装置によれば、第１の洗浄剤による第１の洗浄以降において、第２の洗浄剤による第２の洗浄が一定期間継続して行われ、これにより、汚れがすぐ除去され、かつ、継続して除去される。
【発明の効果】
【０００７】
この発明によれば、流し台等の配水部を常に清潔、かつ、美しく保つことができるようになる。
【図面の簡単な説明】
【０００８】
【図１】この発明の汚れ除去装置の実施形態の外観斜視図
【図２】この発明の汚れ除去装置の実施形態の一方向からの分解斜視図
【図３】この発明の汚れ除去装置の実施形態の他方向からの分解斜視図
【図４】この発明の汚れ除去装置の実施形態の分解断面図
【図５】この発明の汚れ除去装置の洗浄剤収納体の実施形態の分解斜視図
【図６】この発明の汚れ除去装置の洗浄剤収納体の上部材の下面側斜視図
【図７】この発明の汚れ除去装置の実施形態の使用状態斜視図
【図８】この発明の汚れ除去装置の実施形態の使用状態断面図
【図９】この発明の汚れ除去装置の他の実施形態の外観斜視図
【図１０】この発明の汚れ除去装置の他の実施形態の分解斜視図
【図１１】この発明の汚れ除去装置の他の実施形態の蓋体取り外し時の斜視図
【発明を実施するための最良の形態】
【０００９】
図１はこの発明の排水部の汚れ除去装置の実施形態の外観斜視図、図２、図３はそれぞれ異なる方向の同分解斜視図、図４は分解状態の断面図である。
【００１０】
汚れ除去装置１は本体部２と本体部２に装着される洗浄剤収納体３とから構成される。本体部２はプラスチックス製で平面形状が円形であり、その上面の中央に円形に凹む洗浄体収納剤３の収納開口５を備え、上面の収納開口５の両側位置には導水部４を一体とする湾曲形状の通水開口７のそれぞれが設けられている。収納開口５からは途中部に段部９が形成された筒状の周壁６が下方に延び出している。周壁６の上部には周方向に沿って４個の通水穴１２のそれぞれが設けられるとともに、下端内面に沿って環状の嵌合溝１１が設けられており、さらに、周壁６内の下面位置には中央で互いに直交しそれぞれの端部が嵌合溝１１の外面に連続する破砕体１０が設けられている。破砕体１０の上縁には破砕刃８が形成されている。
【００１１】
洗浄剤収納体３はプラスチックス製で、図５に示すように、上部材１３と下部材１４とから構成され、上部材１３内には発泡成分を含まない１個の円形の錠剤洗浄剤（第２の洗浄剤）２２が収納され、下部材１４の下面側に発泡成分を含む顆粒洗浄剤（第１の洗浄剤）２０が収納されて用いられる。
【００１２】
上部材１３は平面形状が円形であり、上面部２８に多数の流水穴２５が設けられ、周壁２３の下縁に複数個の流水切欠２７が設けられるとともに、相対する２か所の位置に係止部２９が設けられている。また、上面部２８の下面側には、図６に示すように、洗浄剤２２の配置用凸部４４が環状に沿って複数個突設されている。下部材１４の上面部３３上には洗浄剤２２の配置用凸部２４が環状に沿って複数個突設されるとともに、縁部の相対する２か所の位置に係止部３１が設けられ、下面側を嵌合取り付け凹所２６としている。シール体１８はアルミフィルムよりなりその周縁の内側位置が下部材１４の嵌合取り付け凹所２６の開口縁に沿って貼り付けられて取り付けられている。上部材１３と下部材１４とはそれぞれの係止部２９と係止部３１とが互いに係止されることで一体に固定されている。
【００１３】
錠剤洗浄剤２２は、図４に示すように、上部材１３の配置用凸部４４と下部材１４の配置用凸部２４に囲まれるスペースに収納配置され、顆粒洗浄剤２０は下部材１４の嵌合取り付け凹所２６内にシール体１８により密封されて収納配置されている。
【００１４】
図７は汚れ除去装置１の流し台における使用状態斜視図、図８は同断面図である。１００は流し台のシンクであり、その一部に設けられた排水凹部１０１にゴミかご１０２が装着され、そのゴミかご１０２上に汚れ除去装置１が配置されている。
【００１５】
汚れ除去装置１は、図２〜図４に示すように、本体部２と錠剤洗浄剤２２と顆粒洗浄剤２０とが収納された洗浄剤収納体３とが分離状態で提供され、排水凹部１０１のゴミかご１０２上に設置された本体部２の収納開口５内に洗浄剤収納体３が上方から嵌入され、その下部材１４の下縁部３０が本体部２の嵌合溝１１に嵌合されて配置されている。上記の嵌入に際し交差する破砕体１０がシール体１８を破砕し、これにより下部材１４の嵌合取り付け凹所２６内の顆粒洗浄剤２０はゴミかご１０２内に落下してその底部３３上に至る。
【００１６】
流し台が使用され汚れ除去装置１上に流水が至ると、一方では流水は本体部２の通水開口７から導水部４を経てゴミかご１０２内に流下し、他方では洗浄剤収納体３において流水穴２５から上部材１３内に至り、さらにその流水切欠２７から本体部３の通水穴１２を通してゴミかご１０２内に流下する。
【００１７】
上記のように流水が汚れ除去装置１を通過してゴミかご１０２内に至ることで、使用開始時にはゴミかご１０２の底部３３上の発泡成分を含む顆粒洗浄剤２０が発泡して洗浄機能を発揮する。また、洗浄剤収納体３の上部材１３内に至った流水はそこに有る錠剤洗浄剤２２に接触し洗浄剤成分含んでゴミかご１０２内に至り、流し台の使用に伴う流水の発生時に洗浄機能を発揮する。このようにして、使用開始時において顆粒洗浄剤２０の全部が使用されてりゴミかご１０２、排水凹部１０１のヌメリ汚れが除去され、以降においては錠剤洗浄剤２２により継続してゴミかご１０２、排水凹部１０１のヌメリ汚れが除去される。
【００１８】
図９はこの発明の排水部の汚れ除去装置の他の実施形態の外観斜視図、図１０は同分解斜視図である。
【００１９】
汚れ除去装置５０はプラスチックス製で、カバー体５１と環状体５２と蓋体５３からなる。カバー体５１は上面部の中央に洗浄剤の収納部５４を備えるとともにその一方側に湾曲形状の通水開口５５を、他方側に開口５６を備えている。収納部５４の周壁と底にはともに通水穴５７が設けられている。環状体５２は全周に沿って環状溝５９を備えるとともに一部に内方に突出する洗浄剤の載置部６０を備えている。環状溝５９の内周には流水穴６１が所定の間隔で複数個設けられている。環状体５２はカバー体５１の下面に、カバー体５１の嵌合突起６４のそれぞれが環状体５２の嵌合穴６６のそれぞれに嵌合されることで、図１１に示すように、下方から一体に取り付けられ、その状態において載置部６０が開口５６の下方に位置する。蓋体５３は一方側に多数個の流水穴６７を備え、他方側の係止部６８がカバー部５１の連結部６９にヒンジ連結されることで収納部５４と開口５６との両方を覆うように開閉可能に設けられ、その閉じ状態においては流水穴６７の設けられた部分が収納部５４上に位置する。発泡成分を含まない錠剤洗浄剤は収納部５４内に収納され、発泡成分を含む顆粒洗浄剤２０は載置部６０上に配置されて使用される。
【００２０】
この汚れ除去装置５０も上記実施形態のものと同様に流し台のゴミかご上に配置されて用いられる。使用開始時に蓋体５３が取り外され載置部６０上に発泡成分を含む顆粒洗浄剤が載置された状態において水が流されることで、発泡した洗浄剤が環状溝５９内に流れ込んで流水穴６１のそれぞれからゴミかご上に落下する。その後蓋体５３を取り付けて閉じる。その状態において流し台が使用されて水が流水穴６７を通って収納部５４内に至ると、流水はそこに有る錠剤洗浄剤に接触し洗浄剤成分含み、通水穴５７を通ってゴミかご内に至る。このようにして、上記実施形態のものと同様に、使用開始時において顆粒洗浄剤２０の全部が使用されてゴミかご、排水凹部のヌメリ汚れが除去され、以降においては錠剤洗浄剤により継続してゴミかご、排水凹部のヌメリ汚れが除去される。
【符号の説明】
【００２１】
１  汚れ除去装置
２  本体
２０  顆粒洗浄剤（第１の洗浄剤）
２２  錠剤洗浄剤（第２の洗浄剤）
【図１】
2017089317.tif 000003
【図２】
2017089317.tif 000004
【図３】
2017089317.tif 000005
【図４】
2017089317.tif 000006
【図５】
2017089317.tif 000007
【図６】
2017089317.tif 000008
【図７】
2017089317.tif 000009
【図８】
2017089317.tif 000010
【図９】
2017089317.tif 000011
【図１０】
2017089317.tif 000012
【図１１】
2017089317.tif 000013